(57)【要約】【課題】目詰まりを生じにくくして排水の流れを良くし、清掃頻度が増えることを抑え、しかも、排水栓用のヘアキャッチャーにおいて捕集された髪の毛、繊維屑、その他のゴミ等を取り除きやすい構造のヘアキャッチャーを実現する【解決手段】ヘアキャッチャーの軸部３に捕集体５が取付けられており、捕集体５は軸部３の方向と平行な円筒部１２と、軸部３の方向と直交する方向に形成されるフランジ部１３とを備え、円筒部１２に排水スリット１６が形成されており、フランジ部１３に無孔の平面部１９が所定範囲で形成されているとともに、平面部１９の外周側に立ち上げ部２２が形成され、この立ち上げ部２２に周方向に間隔をおいて排水孔部２０が形成されている【選択図】図１
2010189948.tif 000002
【特許請求の範囲】
【請求項１】
軸部に捕集体が取付けられたヘアキャッチャーであって、捕集体は軸部の方向と平行な円筒部と、軸部の方向と直交する方向に形成されるフランジ部とを備え、円筒部に排水スリットが形成されており、フランジ部に無孔の平面部が所定範囲で形成されているとともに、平面部の外周側に排水孔部が形成されていることを特徴とするヘアキャッチャー。
【請求項２】
請求項１に記載のヘアキャッチャーであって、円筒部の排水スリットは軸部の方向と同方向に細長状に形成されていることを特徴とするヘアキャッチャー。
【請求項３】
請求項１または２に記載のヘアキャッチャーであって、フランジ部の排水孔部は外周端部に切欠状に形成されていることを特徴とするヘアキャッチャー。
【請求項４】
請求項１から３のいずれかに記載のヘアキャッチャーであって、フランジ部の外周端部に立ち上げ部が形成されていることを特徴とするヘアキャッチャー。
【請求項５】
請求項１から４のいずれかに記載のヘアキャッチャーであって、捕集体の下方に格子状の下部捕集体を備えていることを特徴とするヘアキャッチャー。
【請求項６】
請求項５に記載のヘアキャッチャーであって、下部捕集体は下向きに凸の湾曲形状であることを特徴とするヘアキャッチャー。
【発明の詳細な説明】
【技術分野】
【０００１】
本発明は、洗面ボウル等の排水口に用い、髪の毛、繊維屑、その他のゴミ等を捕集するヘアキャッチャーに関するものである。
【背景技術】
【０００２】
従来、排水口用のヘアキャッチャーにおいて、図４のヘアキャッチャー３１に示すように、軸３２に２つの捕集体３３、３４を上下に設けた構成のものは公知である。このヘアキャッチャー３１の頭部３５から下方に延びる軸３２の上部には、底の浅い捕集体３３が取り付けられており、軸３２の下部に錐状に傾斜した別の捕集体３４が取り付けられている。
【０００３】
ヘアキャッチャーにおいて、捕集体を上側に凸の円錐状の格子状リブで形成した構成は公知である（特許文献１、特許文献２参照）。また、ヘアキャッチャーにおいて、捕集体を下側に凸の円錐状の放射状リブで形成した構成は公知である（特許文献３参照）。
【０００４】
また、本出願人は、軸部の上部に捕集体が固定され、軸部の上下方向に移動可能な複数のリングを同心的に備えた円状体を有するヘアキャッチャーについてすでに提案している（特許文献４参照）。
【先行技術文献】
【特許文献】
【０００５】
【特許文献１】特開２００５−０８３１１８号公報
【特許文献２】特開２００６−２６６０４５号公報
【特許文献３】特開２００５−３０７６１６号公報
【特許文献４】特開２００８−２６７０４１号公報
【発明の概要】
【発明が解決しようとする課題】
【０００６】
上記図４に示すような従来のヘアキャッチャーは、次のような問題がある。例えば、図４において、軸３２に上下２つの捕集体３３、３４が設けられており、髪の毛、繊維くず、その他のゴミ等をより確実に捕捉する構成となっている。しかし、捕集体３３が略平面形状であることから、捕捉された髪の毛、繊維くず、その他のゴミ等により目詰まりが生じやすく、排水の流れが阻害されやすく、清掃頻度が増えるという問題がある。
【０００７】
また、軸３２に対して捕集体３３、３４が固定されており、複雑な構造であるために、排水栓を清掃する際に、ヘアキャッチャーから捕集された髪の毛、繊維屑、その他のゴミ等を取り除きにくいという問題がある。
【０００８】
上記特許文献１〜３に示すヘアキャッチャーは、上記同様に、捕集体は基本的には格子状に形成されており、髪の毛、繊維屑、その他のゴミ等の捕集効果は必ずしも十分ではなく、格子部に絡みついたゴミ等を清掃するに際して必ずしも容易とは言えない。
【０００９】
特許文献４に示すヘアキャッチャーは、ある程度長い髪の毛、繊維屑、その他のゴミ等については、除去し、清掃はし易いが、やや細かいゴミくず等は捕集する点ではさらに改善が必要である。
【００１０】
本発明は、上記従来のヘアキャッチャーの問題を解決することを目的とするものであり、目詰まりを生じにくくして排水の流れを良くし、清掃頻度が増えることを抑え、しかも、排水栓用のヘアキャッチャーにおいて捕集された髪の毛、繊維屑、その他のゴミ等を取り除きやすい構造のヘアキャッチャーを実現するものである。  
【課題を解決するための手段】
【００１１】
本発明は上記課題を解決するために、軸部に捕集体が取付けられたヘアキャッチャーであって、捕集体は軸部の方向と平行な円筒部と、軸部の方向と直交する方向に形成されるフランジ部とを備え、円筒部に排水スリットが形成されており、フランジ部に無孔の平面部が所定範囲で形成されているとともに、平面部の外周側に排水孔部が形成されていることを特徴とするヘアキャッチャーを提供する。
【００１２】
円筒部の排水スリットは軸部の方向と同方向に細長状に形成されていることが好ましい。
【００１３】
フランジ部の排水孔部は外周端部に切欠状に形成されていることが好ましい。
【００１４】
フランジ部の外周端部に立ち上げ部が形成されていることが好ましい。
【００１５】
捕集体の下方に格子状の下部捕集体を備えていることが好ましい。
【００１６】
下部捕集体は下向きに凸の湾曲形状であることが好ましい。
【発明の効果】
【００１７】
本発明に係るヘアキャッチャーは、その円筒部及びフランジ部に設けた排水スリット及び排水孔部の両方において髪の毛、繊維屑、その他のゴミ等を捕集し、また排水を通過させるので、ゴミ等の捕集効果及び排水効果が大きくなる。
【００１８】
そして、排水スリットにおいて捕集されたゴミ等は落下し、また排水孔部で捕集されたゴミ等はフランジ部に溜まっていく。そのために、排出孔が塞がれにくくなり、排水もスムースに流れやすい。その結果、捕集体の清掃頻度が増えることを抑えることができ、排水口から排水栓とともに取り出してヘアキャッチャーを清掃するに際しても、ゴミ等の取り除きの作業がし易くなる。
【図面の簡単な説明】
【００１９】
【図１】本発明に係るヘアキャッチャーの実施例を説明する図であり、排水栓を上端に取り付けた軸部に本発明に係る捕集体が取り付けられた状態を示す斜視図である。
【図２】（ａ）、（ｂ）及び（ｃ）は、それぞれ上記実施例の捕集体についての、平面図、（ａ）のＡ−Ａ断面図及び要部拡大図である。
【図３】上記実施例のヘアキャッチャーを排出孔内に取り付けて適用した状態を示す図である。
【図４】従来例のヘアキャッチャーを示す斜視図である。
【発明を実施するための形態】
【００２０】
本発明に係るヘアキャッチャーを実施するための形態を実施例に基づき図面を参照して、以下説明する。
【実施例】
【００２１】
図１〜３は、本発明に係るヘアキャッチャーの実施例を説明する図である。図１及び図３に示すように、本発明に係るヘアキャッチャー１は、上端に排水栓２が着脱可能に取り付けられた軸部３に装着される捕集体５を備えて構成される。この実施例のヘアキャッチャー１では、捕集体５に加えてさらに、捕集体５の下方において、軸部３に下部捕集体として捕捉体４が取り付けられている。
【００２２】
軸部３は、その上端に上記のとおり排水栓２が同心的に取り付けられており、その下端には抜け止め６がねじ等により着脱可能に設けられている。この排水栓２は、図３に示すように、洗面ボウル等の底７に設けられた排出孔８の排水口９に嵌合して閉鎖する部材であり、開栓時には、軸部３とともに上方に移動することで排水口９を開く。
【００２３】
排水栓２の開閉は、洗面ボウル等に設けた周知の操作ボタン及び操作リンク１０で上下動する押し上げアーム１１で、抜け止め６を下方から上方に突き上げたり（図３実線の位置参照）、下方に引っ込めたりする（図３鎖線の位置参照）ことで操作可能である。
【００２４】
本発明のヘアキャッチャー１の特徴は、捕集体５の構成にある。捕集体５は、図１及び図３に示すように、軸部３に同心的に取り付けられた際に、軸部３の方向と平行な円筒部１２と、軸部３の方向と直交する方向に形成されたフランジ部１３とを一体で備えている。換言すると、フランジ部１３は、円筒部２の下端から連続的に円筒部１２の軸心と直交する方向（円筒部１２の径方向）に広がるように形成されている。
【００２５】
円筒部１２を軸部３に同心的に取り付けた状態で、図３に示すように、円筒部１２と軸部３の間に排水が流下する隙間１４が形成されるように、円筒部１２の内径は軸部３外径より大きく形成されている。
【００２６】
円筒部１２の周壁１５には、図１及び図２（ｂ）に示すように、その周方向に間隔をおいて複数の排水スリット１６が形成されている。円筒部１２の排水スリット１６は、軸部３の方向と同方向に細長状に形成されている。この実施例では、排水スリット１６は、円筒部１２に上下２段で形成されているが、一段でもよい。
【００２７】
円筒部１２の上端開口１７には、図２（ａ）、（ｂ）に示すように、軸部３と同心かつ平行に形成された筒状ガイド１８が形成されている。筒状ガイド１８の内径は、軸部３に対して軸方向に力を加えると円筒部１２が移動可能であるが、使用時には軸部３から円筒部１２からずれ落ちない程度に軸部３に密接して嵌着できるように、軸部３より僅かに大きく形成されている。
【００２８】
フランジ部１３は、平面視で円形の無孔の平面部１９が所定範囲で形成されているとともに、平面部１９の外周側に排水孔部２０が形成されている。この排水孔部２０は、外周端部２１に周方向に間隔をおいて複数個、切欠状に形成されている。
【００２９】
本実施例では、図２（ａ）〜（ｃ）に示すように、フランジ部１３の外周端部２１には、立ち上げ部２２が形成されている。この立ち上げ部２２は、径方向に一定の幅で平面視で環状に形成され、平面部１９から外周に向かって上方に傾斜されて形成されている。
【００３０】
上記複数の排水孔部２０は、立ち上げ部２２に周方向に間隔をおいて形成されている。フランジ部１３は、このような構成であるから、図２（ｃ）に示すように、排水スリット１６及び排水孔部２０を通過することができず捕集されるゴミ等２９が、平面部１９に落下して溜まることができる。
【００３１】
円筒部１２を軸部３に取り付ける時は、軸部３から抜け止め６をはずして、軸部３にその下方から筒状ガイド１８を嵌合し、軸部３に沿って円筒部１２を排水栓２の方向に適宜箇所まで移動して、軸部３に対して円筒部１２を密着状態に嵌着して取り付ける。排水栓２を軸部３からはずして、円筒部１２を上方から嵌着して取り付けてもよい。
【００３２】
図１及び図３において、捕捉体４は、軸部３に対して直交するように水平状態で保持されている。捕捉体４は、その全体形状が凹湾曲状に形成されている。具体的には、軸部３に嵌合し密着状態で嵌着して取り付けられるハブ２３と、このハブ２３を中心としてハブ２３の周りに一体で形成された、ゴミ等を捕捉する格子部２４とから成る。
【００３３】
格子部２４は、ハブ２３に対して同心的かつ段階的に上方に設けられた中間円環枠２５と外側円環枠２６とを備え、ハブ２３と中間円環２５との間、中間円環枠２５と外側円環枠２６との間にそれぞれ径方向に設けられた径方向部材２７が、周方向に適宜間隔で隔設され、一体的に形成される。
【００３４】
ハブ２３の中心には嵌着孔が形成されており、この嵌着孔に軸部３を嵌合して捕捉体４を密着状態で嵌着し、捕集体５の下方の軸部３に取り付けることができる。この捕捉体４は、捕集体５では捕集されずに下方に流下したゴミ等や、例えばコンタクトレンズ等を捕捉する機能を奏する。
【００３５】
（作用）
以上の構成から成る本発明の実施例のヘアキャッチャー１について、その作用を説明する。排水栓２を上端に設けた軸部３にヘアキャッチャー１を図１のように組み込み、この状態で、洗面ボウル等の排水口９から排出孔８内に挿入し、図３の想像線で示すように、抜け止め６が押し上げアーム１１上に当接するように設置する。
【００３６】
押し上げアーム１１は、操作リンク１０で上下動され、図３において想像線で示すように、下方にある時には、排水栓２が排水口９を閉じている（図３の想像線参照）。押し上げアーム１１が、操作リンク１０で上方に移動すると、排水栓２が軸部３を介して持ち上げられ、排水口９が開く（図３の実線参照）。                          
【００３７】
排水口９から排出孔８を流れる排水は、その一部は、捕集体５における円筒部１２の排水スリット１６を通過して隙間１４内に流下し、また、他の一部は排水孔部２０を通過する。このように、隙間１４内を流下し、また排水孔部２０を通過した排水は、さらに、捕捉体４を通過して排出孔８から排水路２８に排出される。
【００３８】
排水が排水スリット１６を通過する際に、排水スリット１６において、髪の毛、繊維屑、その他のゴミ等が捕集される。また、排水が排水孔部２０を通過する際に、排水孔部２０において、髪の毛、繊維屑、その他のゴミ等が捕集される。このようにして排水スリット１６及び排水孔部２０において捕集されたゴミ等２９は、図２（ｃ）に示すように、フランジ部１３に溜まっていく。
【００３９】
そして、捕集体５を通過したゴミやコンタクトレンズ等は、捕集体５の下方に設けられた捕捉体４の格子部２４で捕捉される。
【００４０】
このように、本発明のヘアキャッチャー１は、排水スリット１６及び排水孔部２０の両方において髪の毛、繊維屑、その他のゴミ等を捕集し、また排水を通過させるので、ゴミ等の捕集効果及び排水効果がすぐれている。
【００４１】
そして、捕集体が網目や格子等から成るものに較べて、ゴミの絡みが少なく目詰まりを起こしにくくなる。排水スリット１６において捕集されたゴミ等は落下し、また排水孔部２０で捕集されたゴミ等は立ち上げ部２２の傾斜面に沿って落下し、フランジ部１３に溜まっていく。そのために、排出孔８が塞がれにくくなり、排水もスムースに流れやすい。
【００４２】
その結果、捕集体５の清掃頻度が増えることを抑えることができ、排出孔８から排水栓２とともに取り出してヘアキャッチャー１を清掃するに際しても、ゴミ等の取り除きの作業がし易い。
【００４３】
以上、本発明に係るヘアキャッチャーを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４４】
本発明に係るヘアキャッチャーは上記のような構成であるから、洗面ボウル、浴槽、浴室洗い場等の排出孔へも適用可能である。
【符号の説明】
【００４５】
（実施例）
１  ヘアキャッチャー               
２  排水栓                         
３  軸部                           
４  捕捉体                         
５  捕集体                         
６  抜け止め具                     
７  洗面ボウル等の底               
８  排出孔                         
９  排水口                         
１０  操作リンク機構                 
１１  押し上げアーム                 
１２  円筒部                         
１３  フランジ部                     
１４  円筒部と軸部との隙間           
１５  円筒部の周壁                   
１６  排水スリット                   
１７  円筒部の上端開口               
１８  筒状ガイド                     
１９  フランジ部の平面部             
２０  排水孔部                       
２１  外周端部                       
２２  立ち上げ部                     
２３  ハブ                           
２４  格子部                         
２５  中間円環枠                     
２６  外側円環枠                     
２７  径方向部材                     
２８  排水路
２９  ゴミ
（従来例）
３１  ヘアキャッチャー
３３、３４  捕集体  
３２  軸
３５  頭部
【図１】
2010189948.tif 000003
【図２】
2010189948.tif 000004
【図３】
2010189948.tif 000005
【図４】
2010189948.tif 000006